(57)【要約】【課題】発注者が特定の個人を受注者として発注する場合に、発注者から受注者へスムーズに発注情報を送信することができ、受注者が対応可能なタイミングに合わせて発注情報を受け取ることができる発注受注システムを提供する。【解決手段】発注受注システム１は、一または複数のスイッチ１２と、スイッチ１２の状態を区別する制御部１１と、スイッチ１２の状態を送信する無線送信部１３と、を有する発注システム装置２と、発注システム装置２から送信されたスイッチ１２の状態の情報を受信する無線受信部２２と、スイッチ１２の状態を表示する表示部２３と、を有する受注システム装置３と、から構成され、特定の発注システム装置２と特定の前記受注システム装置３とが発注システム装置２の端末情報を用いて１対１で対応する。【選択図】図１
2019160181.tif 000002
【特許請求の範囲】
【請求項１】
一または複数の発注情報を入力する手段と、前記発注情報を入力する手段の状態を区別する情報処理手段と、前記発注情報を入力する手段の状態を送信する第一の通信手段と、を有する発注システム装置と、
前記発注システム装置から送信された前記発注情報を入力する手段の状態の情報を受信する第二の通信手段と、前記発注情報を入力する手段の状態を表示する表示手段と、を有する受注システム装置と、から構成され、
特定の前記発注システム装置と特定の前記受注システム装置とが１対１で対応したことを特徴とする発注受注システム。
【請求項２】
前記発注システム装置と前記受注システム装置とが近接したタイミングで前記受注システム装置が前記発注情報を入力する手段の状態を受信する請求項１に記載の発注受注システム。
【請求項３】
前記受注システム装置が受信可能圏内に入ったことを検知し、前記受信可能圏内に入ったことを前記発注システム装置に通知し、前記受注システム装置が前記受信可能圏内に入ったことを前記発注システム装置が表示する請求項１または請求項２の発注受注システム。
【請求項４】
前記発注システム装置は、
前記発注システム装置の環境情報を検知するセンサと、
前記センサで検知した環境情報を前記受注システム装置に送信する第三の通信手段と、を有し、
前記受注システム装置は、前記発注システム装置の環境情報を受信する第四の通信手段と、受信した環境情報を表示する第二の表示手段と、を有する請求項１から請求項３のいずれか一項に記載の発注受注システム。
【請求項５】
前記センサで検知する環境情報は、照度、音量、振動、傾き、温度、湿度のいずれかを含む請求項４に記載の発注受注システム
【請求項６】
前記発注情報を入力する手段の状態を音声認識によって変更可能である請求項１から請求項５のいずれか一項に記載の発注受注システム
【請求項７】
前記発注システム装置から送信された発注情報の内容が一定時間またはあらかじめ決められた時間に初期化される請求項１から請求項６のいずれか一項に記載の発注受注システム。
【請求項８】
前記表示手段によって表示された前記発注情報を入力する手段の状態を消去可能とする請求項１から請求項７のいずれか一項に記載の発注受注システム。
【発明の詳細な説明】
【技術分野】
【０００１】
本発明は発注受注システムの技術に関する。
【背景技術】
【０００２】
従来、送信手段を用いて発注する発注システムと、前記送信手段からの発注情報をネットワークを介して受注する受注システムとを備える発注受注システムが公知となっている。例えば、発注システムに、発注者を特定するＩＤ（識別子）が与えられ、発注システムは、アイテムを特定する情報を表示し、特定されたアイテムを注文するために発注者に実行させる送信手段を表示し、表示された送信手段が実行されると、それに応答して発注システムは与えられたＩＤと特定されたアイテムを注文する要求を受注システムに送信する。受注システムはそのＩＤを使用して、アイテムの注文を生成するために必要な追加情報を特定した後、注文を生成する（例えば、特許文献１参照）。
【０００３】
ところで、発注者が特定の個人を受注者として発注する場合、発注者の発注情報が不特定多数の受注システムへ送信されると、受注者が希望する発注者の情報のみを選択することができず、受注者が混乱する可能性がある。例えば、発注者からの発注情報が特定の個人である受注者に送信できず、誤って他人へ送信された場合、受注者は、発注情報に対応できないことがある。
また、受注者が発注情報に対応する行動ができないタイミングで発注情報を受けた場合、受注者は発注情報への対応を保留することがあり、発注情報への対応を忘れることがある。また、受注者が移動している場合に、受注者が発注情報に対応する行動ができる範囲内に移動したときに、発注情報を受けることができれば、受注者はスムーズに発注情報へ対応することができる。
【先行技術文献】
【特許文献】
【０００４】
【特許文献１】特許第４９５９８１７号公報
【発明の概要】
【発明が解決しようとする課題】
【０００５】
そこで、本発明は、以上に示したかかる課題に鑑み、発注者が特定の個人を受注者として発注する場合に、発注者から受注者へスムーズに発注情報を送信することができ、受注者が対応可能なタイミングに合わせて発注情報を受け取ることができる発注受注システムを提供することを目的とする。
【課題を解決するための手段】
【０００６】
本発明の解決しようとする課題は以上の如くであり、次にこの課題を解決するための手段を説明する。
【０００７】
即ち、本発明においては、一または複数の発注情報を入力する手段と、前記発注情報を入力する手段の状態を区別する情報処理手段と、前記発注情報を入力する手段の状態を送信する第一の通信手段と、を有する発注システム装置と、前記発注システム装置から送信された前記発注情報を入力する手段の状態の情報を受信する第二の通信手段と、前記発注情報を入力する手段の状態を表示する表示手段と、を有する受注システム装置と、から構成され、特定の前記発注システム装置と特定の前記受注システム装置とが１対１で対応したものである。
【０００８】
また、本発明においては、前記発注システム装置と前記受注システム装置とが近接したタイミングで前記受注システム装置が前記発注情報を入力する手段の状態を受信するものであってもよい。
【０００９】
また、本発明においては、前記受注システム装置が受信可能圏内に入ったことを検知し、前記受信可能圏内に入ったことを前記発注システム装置に通知し、前記受注システム装置が前記受信可能圏内に入ったことを前記発注システム装置が表示するものであってもよい。
【００１０】
また、本発明においては、前記発注システム装置は、前記発注システム装置の環境情報を検知するセンサと、前記センサで検知した環境情報を前記受注システム装置に送信する第三の通信手段と、を有し、前記受注システム装置は、前記発注システム装置の環境情報を受信する第四の通信手段と、受信した環境情報を表示する第二の表示手段と、を有するものであってもよい。
【００１１】
また、本発明においては、前記センサで検知する環境情報は、照度、音量、振動、傾き、温度、湿度のいずれかを含むものであってもよい。
【００１２】
また、本発明においては、前記発注情報を入力する手段の状態を音声認識によって変更可能なものであってもよい。
【００１３】
また、本発明においては、前記発注システム装置から送信された発注情報の内容が一定時間またはあらかじめ決められた時間に初期化されるものであってもよい。
【００１４】
また、本発明においては、前記表示手段によって表示された前記発注情報を入力する手段の状態を消去可能とするものであってもよい。
【発明の効果】
【００１５】
本発明の効果として、以下に示すような効果を奏する。
【００１６】
本発明においては、発注者が特定の個人を受注者として発注する場合に、発注者から受注者へスムーズに発注情報を送信することができ、受注者が対応可能なタイミングに合わせて発注情報を受け取ることができる。
【図面の簡単な説明】
【００１７】
【図１】本発明の第一の実施形態に係る発注受注システムに係るブロック図。
【図２】本発明の第二の実施形態に係る発注受注システムに係るブロック図。
【図３】本発明の実施形態に係る発注システム装置と受注システム装置を用いた発注情報受信方法を示す概略図であって（Ａ）受注者が電波送信圏外にいる場合を示す図および（Ｂ）受注者が電波送信圏内にいる場合を示す図。
【図４】本発明の第三の実施形態に係る発注受注システムに係るブロック図。
【図５】本発明の第四の実施形態に係る発注受注システムに係るブロック図。
【発明を実施するための形態】
【００１８】
次に、発明の実施の形態を説明する。
【００１９】
＜第一の実施形態＞
まず、本発明の第一の実施形態にかかる発注受注システム１について図１を用いて説明する。
発注受注システム１は、受注者が対応可能な範囲内に移動したときに、発注者の発注内容を受注者に送信できるようにするためのシステムである。
【００２０】
発注受注システム１は、一または複数の発注内容を入力する機能と、発注内容を入力する手段の状態を区別する機能と、発注内容を入力する手段の状態を送信する機能と、を有する発注システム装置２と、発注システム装置２から送信された情報を受信する機能と、情報を表示する機能と、を有する受注システム装置３と、を備える。
【００２１】
発注システム装置２は、発注者が一つ若しくは少ない数の行程を行うことで発注情報を送信するための装置である。本実施形態においては、一または複数の発注内容を入力する手段としてスイッチ１２を用いて発注情報を送信する。なお、本実施形態においてはスイッチを使用しているがこれに限定されるものではなく、例えばＧＵＩを有する情報端末を用いて発注情報を送信する構成としてもよい。
【００２２】
発注システム装置２は、情報処理手段である制御部１１、発注内容を入力する手段であるスイッチ１２、第一の通信手段である無線送信部１３、表示部１４、および電源１５を備える。
【００２３】
制御部１１は、発注情報を処理する部材であり、例えば、マイコンや小型のパソコンで構成されている。制御部１１は、入力側にスイッチ１２が接続されており、出力側に無線送信部１３および表示部１４が接続されている。また、制御部１１は電源１５と接続されており、電源１５から供給される電力により作動する。電源１５からの電力は制御部１１を介して、スイッチ１２、スイッチ１２の状態を送信する無線送信部１３、および表示部１４へと供給される。制御部１１はタイマーを備える。
【００２４】
スイッチ１２は、少なくとも「入」状態と「切」状態との間で状態を切替可能に構成されており、押し込む、回動する、触れるなどの物理的な動作によって状態を切換可能に構成されている。スイッチ１２が「切」状態から「入」状態へ切り替えられると、制御部１１にスイッチ１２の状態を通知する情報が送信される。スイッチ１２は、一個以上設けられており、スイッチ１２ごとに、対応する発注情報が割り当てられる。
【００２５】
無線送信部１３は、無線でスイッチ１２の状態を送信する部材であり、スイッチ１２が「切」状態から「入」状態になったときに発注情報を送信する。無線送信部１３は、発注情報を電波、光、または音波などの通信線を用いない通信媒体を利用して送信する。電波、光、または音波などの通信線を用いない通信媒体とは、無線送受信に一般的に利用される電磁波や音波を含むものであり、例えば、サブギガＨｚ帯の電波を用いることもできる。サブギガＨｚ帯の電波とは、１ＧＨｚ以下の周波数帯であり、２．４ＧＨｚ帯に比べて回り込み特性に優れ、障害物が有った場合でも、より遠くにデータを送信できる周波数帯である。無線送信部１３は、発注情報を所定時間ごとに送信する。発注情報には、発注システム装置２の端末情報および発注する商品情報、が少なくとも含まれる。また、無線送信部１３から、発注情報以外に、発注者の状態または発注者から受注者への連絡事項などで構成される通知情報を送信することもできる。通知情報は、発注情報と同様に一または複数のスイッチ１２の状態と対応して割り当てられる。
【００２６】
表示部１４は、発注情報が無線送信部１３から送信されることもしくは送信されたことを表示する部材である。表示部１４は、例えば７セグメントのＬＥＤ表示板、液晶表示部、もしくは、ＬＥＤライトなどで構成される。
【００２７】
受注システム装置３は、制御部２１、第二の通信手段である無線受信部２２、表示部２３、通知部２４および電源である小型のバッテリ２５を備える。受注システム装置３は、受注者が移動時に携行することができるサイズが好ましい。
【００２８】
制御部２１は、発注システム装置２から送信された発注情報を処理する部材であり、例えば、マイクロプロセッサで構成されている。制御部２１は、入力側に無線受信部２２が接続されており、出力側に表示部２３および通知部２４が接続されている。また、制御部２１は電源である小型のバッテリ２５と接続されており、バッテリ２５から供給される電力により作動する。バッテリ２５からの電力は制御部２１を介して、無線受信部２２、表示部２３、および通知部２４へと供給される。
【００２９】
無線受信部２２は、無線送信部１３から送信されたスイッチ１２の状態を無線で受信する手段である。本実施形態において無線受信部２２には、制御部２１を介してバッテリ２５からの電力が供給される。無線受信部２２は、発注情報を電波、光、または音波などの通信線を用いない通信媒体を利用して受信する。電波、光、または音波などの通信線を用いない通信媒体として、サブギガＨｚ帯の電波を用いることもできる。無線受信部２２は、作動時において無線送信部１３からの発注情報を常時受信可能な状態で待機する。
【００３０】
表示部２３は、発注情報を受信したことを表示する部材である。表示部２３は、例えば一又は複数のＬＥＤライトなどで構成される。
【００３１】
通知部２４は、発注情報を受信したことを音もしくは振動などで、受注者へ通知する部材であり、例えば、バイブレータまたはスピーカなど受注者が音や振動によって通知を受けることができる手段によって構成されている。なお、受注システム装置３において通知部の構成は必須ではなく省略することもできる。
【００３２】
次に、第一の実施形態にかかる発注受注システム１を用いた発注情報受信の方法について図３を用いて説明する。
【００３３】
発注システム装置２は所定の位置に固定されており、受注システム装置３は受注者が携行している。発注システム装置２において、発注者がスイッチ１２を操作し、「入」状態へ切り替えた場合、制御部１１においてスイッチ１２の状態に対応した発注情報が作成される。例えば、スイッチ１２が複数ある場合には、各スイッチ１２に対応した発注情報が作成される。発注システム装置２の無線送信部１３からは所定時間ごとに発注情報を送信する。無線送信部１３が発注情報を送信したあと、表示部１４に発注情報を送信したことを表示する。表示部１４は、発注情報と対応する表示を行う。例えば、発注情報ごとにＬＥＤライトが割り当てられており、発注情報と対応するＬＥＤライトが発光することで発注者が発注情報の内容を確認することができる。
【００３４】
発注システム装置２の無線送信部１３から所定時間ごとに送信する発注情報は、図３（Ａ）に示すように、受注者が電波送信圏外にいる場合には、受注システム装置３の無線受信部２２では受信できない。
図３（Ｂ）に示すように、受注者が電波送信圏内に入った場合には、受注システム装置３の無線受信部２２へ発注情報が受信される。発注情報が無線受信部２２に受信されると、制御部２１において、発注情報が処理される。発注情報に含まれる発注システム装置２の端末情報が制御部２１のメモリに記憶されている端末情報と一致した場合、受注システム装置３の表示部２３に発注情報と対応する表示がなされる。例えば、発注情報ごとにＬＥＤライトが割り当てられており、発注情報と対応するＬＥＤライトが発光することで受注者が発注情報の内容を知ることができる。
【００３５】
また、発注情報が無線受信部２２に受信されると、受注システム装置３の通知部２４によって受信者に対して通知される。例えば、通知部２４がバイブレータであった場合には、バイブレータが振動することで受注者が発注情報を受信したことを知ることができる。
【００３６】
また、発注システム装置２は、受注システム装置３が受信可能圏内に入ったか否かを判別可能に構成するとしてもよい。この場合、発注システム装置２には、情報受信部１６が備えられ、受注システム装置３には、情報送信部２６が備えられる。情報受信部１６および情報送信部２６は電波、光、または音波などの通信線を用いない通信媒体を利用して無線通信を行う。電波、光、または音波などの通信線を用いない通信媒体として、サブギガＨｚ帯の電波を用いることもできる。受注システム装置３が受信可能圏内に入った場合には、情報送信部２６から受信可能圏内に入ったことを伝える情報を送信する。発注システム装置２は、前記情報を情報受信部１６において受信し、制御部１１において、受注システム装置３が受信可能圏内に入ったことを検知する。そして、発注システム装置２の制御部１１は、受注システム装置３が受信可能圏内に入ったことを発注システム装置２の表示部１４に表示する。
【００３７】
また、あらかじめ決められた所定時間を経過した後に発注情報を初期化する構成とすることもできる。この場合発注システム装置２の制御部１１は、初期化用のタイマーを備え、発注情報が作成された時刻をゼロとして、所定時間を計測する。そして、所定時間が経過したときには発注情報を制御部１１のメモリから消去するものである。この場合、制御部１１は、発注システム装置２の表示部１４において表示していた発注情報を表示しないように変更する。
【００３８】
また、受注システム装置３に表示操作部２７を設けることもできる。表示操作部２７は、表示部２３の表示を変更することができる。例えば、表示部２３がＬＥＤライトである場合に、受注者が表示操作部２７を操作することにより、ＬＥＤライトを消灯することができる。
【００３９】
以上のように、発注受注システム１は、一または複数の発注情報を入力する手段であるスイッチ１２と、スイッチ１２の状態を区別する情報処理手段である制御部１１と、スイッチ１２の状態を送信する第一の通信手段である無線送信部１３と、を有する発注システム装置２と、発注システム装置２から送信されたスイッチ１２の状態の情報を受信する第二の通信手段である無線受信部２２と、スイッチ１２の状態を表示する表示手段である表示部２３と、を有する受注システム装置３と、から構成され、特定の発注システム装置２と特定の前記受注システム装置３とが発注システム装置２の端末情報を用いて１対１で対応するものである。
このように構成することにより、発注者が特定の個人を受注者として発注する場合に、発注者から受注者へスムーズに発注情報を送信することができ、受注者は、無線受信部２２で発注情報を受信することが可能なタイミングで、発注情報を受け取ることができる。
【００４０】
また、発注受注システム１においては、発注システム装置２と受注システム装置３とが近接したタイミングで受注システム装置３がスイッチ１２の状態を受信するものである。
このように構成することにより、受注者は、無線受信部２２で発注情報を受信することが可能となる距離まで近接したタイミングで、発注情報を受け取ることができる。
【００４１】
また、受注システム装置３が受信可能圏内に入ったことを検知し、受信可能圏内に入ったことを発注システム装置２に通知し、受注システム装置３が受信可能圏内に入ったことを発注システム装置２の表示部１４が表示する構成としてもよい。
【００４２】
このように構成することにより、受注者が無線受信部２２で発注情報を受信することが可能となる距離まで近接したことを発注者が知ることができる。
【００４３】
＜第二の実施形態＞
次に、本発明の第二の実施形態にかかる発注受注システム４１について図２を用いて説明する。
発注受注システム４１は、発注者の発注内容を中継機４２ｂに蓄積し、受注者が対応可能なタイミングになったとき、または、対応可能な範囲内に移動したときに、受注内容を送受信できるようにするためのシステムである。
【００４４】
発注受注システム４１は、発注内容を入力および送信する操作機４２ａと、操作機４２ａから送信された発注情報を蓄積し、受注システム装置４３へ発注情報を送信する中継機４２ｂと、を有する発注システム装置４２と、発注システム装置４２から送信された情報を受信する機能と、情報を表示する機能と、を有する受注システム装置４３とを備える。
【００４５】
発注システム装置４２は、発注者が一つ若しくは少ない数の行程を行うことで発注情報を送信するための装置である。発注システム装置４２は、発注者が操作機４２ａを操作して発注した場合、発注内容を常時無線送信する。
【００４６】
操作機４２ａは、発注者が操作することにより発注情報を入力し、当該発注情報を中継機４２ｂへ送信する装置である。操作機４２ａは、発注者が携行するまたは中継機４２ｂと離隔した小さな空間に配置することが可能なように小さく形成されている。操作機４２ａは、エネルギーハーベスティング無線通信装置で構成されており、操作機４２ａを操作するための物理的な動作によって発生する物理的なエネルギーを発電部において電力に変換し、当該電力を動力源として作動する。操作機４２ａは、発注内容を入力する手段の状態を区別する情報処理手段である制御部５１、一または複数の発注内容を入力する手段であるスイッチ５２、スイッチ５２の状態を送信する第一の通信手段である無線送信部５３、およびスイッチ５２の動作によって起電する発電部５４を備える。なお、操作機４２ａは、エネルギーはーべスティング無線通信装置で構成されており、発電部５４を備える構成としているが、これに限定するものではない。例えば、操作機は、発電部のかわりに電池などの小型の電源を備え、発注者が携行可能または小さな空間に配置可能な構成としてもよい。
【００４７】
制御部５１は、発注情報を処理する部材であり、例えば、マイコンや小型のパソコンで構成されている。制御部５１は、入力側にスイッチ５２が接続されており、出力側に無線送信部５３が接続されている。
【００４８】
スイッチ５２は、少なくとも「入」状態と「切」状態との間で状態を切替可能に構成されており、押し込む、回動する、触れるなどの物理的な動作によって状態を切換可能に構成されている。スイッチ５２は、一個以上設けられており、スイッチ５２ごとに、対応する発注情報が割り当てられる。
【００４９】
無線送信部５３は、無線でスイッチ５２の状態を送信する部材であり、スイッチ５２が「切」状態から「入」状態になったときに発注情報を送信する。本実施形態において無線送信部５３は、制御部５１を介して発電部５４と接続されている。無線送信部５３は、発注情報を電波、光、または音波などの通信線を用いない通信媒体を利用して送信する。電波、光、または音波などの通信線を用いない通信媒体とは、無線送受信に一般的に利用される電磁波や音波を含むものであり、例えば、サブギガＨｚ帯の電波を用いることもできる。サブギガＨｚ帯の電波とは、１ＧＨｚ以下の周波数帯であり、２．４ＧＨｚ帯に比べて回り込み特性に優れ、障害物が有った場合でも、より遠くにデータを送信できる周波数帯である。第一の通信手段は、発注情報を所定時間ごとに送信する。発注情報には、発注システム装置４２の端末情報および発注する商品情報、が少なくとも含まれる。また、無線送信部５３から、発注情報以外に、発注者の状態または発注者から受注者への連絡事項などで構成される通知情報を送信することもできる。通知情報は、発注情報と同様に一または複数のスイッチ５２の状態と対応して割り当てられる。
【００５０】
発電部５４は、スイッチ５２の物理的な動作によって起電する部材である。発電部５４は、スイッチ５２の物理的な動作によって発電した場合のみ、制御部５１へ電力を供給し、制御部５１を介して無線送信部５３へ電力を供給する。
【００５１】
中継機４２ｂは、操作機４２ａから送信された発注情報を蓄積し、受注システム装置４３へ発注情報を送信する装置である。
中継機４２ｂは、情報処理手段である制御部５６、中継用無線受信部５７、中継用無線送信部５８、表示部５９、および電源６０を備える。
【００５２】
制御部５６は、操作機４２ａから送信された発注情報を蓄積し、処理する部材であり、例えば、マイコンや小型のパソコンで構成されている。制御部５６は、図示せぬメモリ（ＲＡＭ）を備えており、メモリに注文情報を一時的に書きこむ。制御部５６は、入力側に中継用無線受信部５７が接続されており、出力側に中継用無線送信部５８および表示部５９が接続されている。また、制御部５６は電源６０を備えており、電源６０から供給される電力により作動する。電源６０からの電力は制御部５６を介して、中継用無線受信部５７、中継用無線送信部５８、および表示部５９へと供給される。
【００５３】
中継用無線受信部５７は、無線送信部５３から送信されたスイッチ５２の状態を無線で受信する手段である。本実施形態において中継用無線受信部５７には、制御部５６を介して電源からの電力が供給される。中継用無線受信部５７は、発注情報を電波、光、または音波などの通信線を用いない通信媒体を利用して受信する。電波、光、または音波などの通信線を用いない通信媒体として、サブギガＨｚ帯の電波を用いることもできる。中継用無線受信部５７は、作動時において無線送信部５３からの発注情報を常時受信可能な状態で待機する。
【００５４】
中継用無線送信部５８は、無線でスイッチ５２の状態を送信する部材であり、スイッチ５２が「切」状態から「入」状態になったときに発注情報を送信する。中継用無線送信部５８は、発注情報を電波、光、または音波などの通信線を用いない通信媒体を利用して送信する。電波、光、または音波などの通信線を用いない通信媒体として、サブギガＨｚ帯の電波を用いることもできる。中継用無線送信部５８は、発注情報を所定時間ごとに送信する。発注情報には、発注システム装置４２の端末情報および発注する商品情報、が少なくとも含まれる。また、中継用無線送信部５８から、発注情報以外に、発注者の状態または発注者から受注者への連絡事項などで構成される通知情報を送信することもできる。
【００５５】
表示部５９は、発注情報が中継用無線送信部５８から送信されることもしくは送信されたことを表示する部材である。表示部５９は例えば７セグメントのＬＥＤ表示板、液晶表示部、もしくは、ＬＥＤライトなどで構成される。
【００５６】
受注システム装置４３は、制御部６６、第二の通信手段である無線受信部６７、表示部６８、通知部６９および電源である小型のバッテリ７０を備える。受注システム装置４３は、受注者が移動時に携行することができるサイズが好ましい。
【００５７】
制御部６６は、発注システム装置４２から送信された発注情報を処理する部材であり、例えば、マイクロプロセッサで構成されている。制御部６６は、入力側に無線受信部６７が接続されており、出力側に表示部６８および通知部６９が接続されている。また、制御部６６はバッテリ７０と接続されており、バッテリ７０から供給される電力により作動する。バッテリ７０からの電力は制御部６６を介して、無線受信部６７、表示部６８、および通知部６９へと供給される。制御部６６はタイマーを備える。
【００５８】
無線受信部６７は、中継用無線送信部５８から送信されたスイッチ５２の状態を無線で受信する手段である。本実施形態において無線受信部６７には、制御部６６を介してバッテリ７０からの電力が供給される。無線受信部６７は、発注情報を電波、光、または音波などの通信線を用いない通信媒体を利用して受信する。電波、光、または音波などの通信線を用いない通信媒体として、サブギガＨｚ帯の電波を用いることもできる。無線受信部６７は、作動時において中継用無線送信部５８からの発注情報を常時受信可能な状態で待機する。
【００５９】
表示部６８は、発注情報を受信したことを表示する部材である。表示部６８は、例えば一又は複数のＬＥＤライトなどで構成される。
【００６０】
通知部６９は、発注情報を受信したことを音もしくは振動などで、受注者へ通知する部材であり、例えば、バイブレータまたはスピーカなど受注者が音や振動によって通知を受けることができる手段によって構成されている。なお、受注システム装置４３において通知部の構成は必須ではなく省略することもできる。
【００６１】
次に、第二の実施形態にかかる発注受注システム４１を用いた発注情報受信の方法について図３を用いて説明する。
【００６２】
発注システム装置４２の中継機４２ｂは所定の位置に固定されており、発注システム装置４２の操作機４２ａは、発注者が携行している。受注システム装置４３は、受注者が携行している。発注システム装置４２において、発注者が操作機４２ａのスイッチ５２を操作し、「入」状態へ切り替えた場合、発電部５４が発電し、制御部５１及び無線送信部５３へと電力が供給される。そして、制御部５１において、スイッチ５２の状態に対応した発注情報が作成される。例えばスイッチ５２が複数ある場合には、各スイッチ５２に対応した発注情報が作成される。作成された発注情報は、電力が供給された無線送信部５３から中継機４２ｂへと送信される。
【００６３】
無線送信部５３から送信された発注情報は、中継機４２ｂの中継用無線受信部５７において受信される。中継機４２ｂは、中継用無線受信部５７において発注情報を受信したとき、制御部５６に発注情報を蓄積する。さらに、蓄積した発注情報は、中継用無線送信部５８から所定時間ごとに送信する。中継用無線送信部５８が発注情報を送信したあと、表示部５９に発注情報を送信したことを表示する。表示部５９は、発注情報と対応する表示を行う。例えば、発注情報ごとにＬＥＤライトが割り当てられており、発注情報と対応するＬＥＤライトが発光することで発注者が発注情報の内容を確認することができる。
【００６４】
中継機４２ｂの中継用無線送信部５８から所定時間ごとに送信する発注情報は、図３（Ａ）に示すように、受注者が電波送信圏外にいる場合には、受注システム装置４３の無線受信部６７では受信できない。
図３（Ｂ）に示すように、受注者が電波送信圏内に入った場合には、受注システム装置４３の無線受信部６７へ発注情報が受信される。発注情報が無線受信部６７に受信されると、制御部６６において、発注情報が処理される。発注情報に含まれる発注システム装置４２の端末情報が制御部６６のメモリに記憶されている端末情報と一致した場合、受注システム装置４３の表示部６８に発注情報と対応する表示がなされる。例えば、発注情報ごとにＬＥＤライトが割り当てられており、発注情報と対応するＬＥＤライトが発光することで受注者が発注情報の内容を知ることができる。
【００６５】
また、発注情報が無線受信部６７に受信されると、受注システム装置４３の通知部６９によって受信者に対して通知される。例えば、通知部６９がバイブレータであった場合には、バイブレータが振動することで受注者が発注情報を受信したことを知ることができる。
【００６６】
また、発注システム装置４２は、受注システム装置４３が受信可能圏内に入ったか否かを判別可能に構成するとしてもよい。この場合、中継機４２ｂには、情報受信部６１が備えられ、受注システム装置４３には、情報送信部７１が備えられる。情報受信部６１および情報送信部７１は電波、光、または音波などの通信線を用いない通信媒体を利用して無線通信を行う。電波、光、または音波などの通信線を用いない通信媒体として、サブギガＨｚ帯の電波を用いることもできる。受注システム装置４３が受信可能圏内に入った場合には、情報送信部７１から受信可能圏内に入ったことを伝える情報を送信する。中継機４２ｂは、前記情報を情報受信部６１において受信し、制御部５６において、受注システム装置４３が受信可能圏内に入ったことを検知する。そして、中継機４２ｂの制御部５６は、受注システム装置４３が受信可能圏内に入ったことを中継機４２ｂの表示部５９に表示する。
【００６７】
また、あらかじめ決められた所定時間を経過した後に発注情報を初期化する構成とすることもできる。この場合中継機４２ｂの制御部５６は、初期化用のタイマーを備え、発注情報が作成された時刻をゼロとして、所定時間を計測する。そして、所定時間が経過したときには発注情報を制御部５６のメモリから消去するものである。この場合、制御部５６は、中継機４２ｂの表示部５９において表示していた発注情報を表示しないように変更する。
【００６８】
また、受注システム装置４３に表示操作部７２を設けることもできる。表示操作部７２は、表示部６８の表示を変更することができる。例えば、表示部６８がＬＥＤライトである場合に、受注者が表示操作部７２を操作することにより、ＬＥＤライトを消灯することができる。
【００６９】
＜第三の実施形態＞
まず、本発明の第三の実施形態にかかる発注受注システム８１について図４を用いて説明する。
発注受注システム８１は、受注者が対応可能な範囲内に移動したときに、発注者の発注内容を受注者に送信できるようにするためのシステムである。
【００７０】
発注受注システム８１は、一または複数の発注内容を入力する機能と、発注内容を入力する手段の状態を区別する機能と、発注内容を入力する手段の状態を送信する機能と、を有する発注システム装置８２と、発注システム装置２から送信された情報を受信する機能と、情報を表示する機能と、を有する受注システム装置８３と、を備える。
【００７１】
発注システム装置８２は、発注者が一つ若しくは少ない数の行程を行うことで発注情報を送信するための装置である。本実施形態においては、一または複数の発注内容を入力する手段としてスイッチ９２を用いて発注情報を送信する。なお、本実施形態においてはスイッチを使用しているがこれに限定されるものではなく、例えばＧＵＩを有する情報端末を用いて発注情報を送信する構成としてもよい。
【００７２】
発注システム装置８２は、情報処理手段である制御部９１、発注内容を入力する手段であるスイッチ９２、第一の通信手段である無線送信部９３、表示部９４、環境センサ９５および電源９６を備える。
【００７３】
制御部９１は、発注情報を処理する部材であり、例えば、マイコンや小型のパソコンで構成されている。制御部９１は、入力側にスイッチ９２および環境センサ９５が接続されており、出力側に無線送信部９３および表示部９４が接続されている。また、制御部９１は電源９６を備えており、電源９６から供給される電力により作動する。電源９６からの電力は制御部９１を介して、スイッチ９２、スイッチ９２の状態を送信する無線送信部９３、表示部９４、および環境センサ９５へと供給される。
【００７４】
スイッチ９２は、少なくとも「入」状態と「切」状態との間で状態を切替可能に構成されており、押し込む、回動する、触れるなどの物理的な動作によって状態を切換可能に構成されている。スイッチ９２が「切」状態から「入」状態へ切り替えられると、制御部９１にスイッチ９２の状態を通知する情報が送信される。スイッチ９２は、一個以上設けられており、スイッチ９２ごとに、対応する発注情報が割り当てられる。
【００７５】
無線送信部９３は、無線でスイッチ９２の状態を送信する部材であり、スイッチ９２が「切」状態から「入」状態になったときに発注情報を送信する。無線送信部９３は、発注情報を電波、光、または音波などの通信線を用いない通信媒体を利用して送信する。電波、光、または音波などの通信線を用いない通信媒体として、サブギガＨｚ帯の電波を用いることもできる。無線送信部９３は、発注情報を所定時間ごとに送信する。発注情報には、発注システム装置８２の端末情報および発注する商品情報、が少なくとも含まれる。また、無線送信部９３から、発注情報以外に、発注者の状態または発注者から受注者への連絡事項などで構成される通知情報を送信することもできる。通知情報は、発注情報と同様に一または複数のスイッチ９２の状態と対応して割り当てられる。
【００７６】
表示部９４は、発注情報が無線送信部９３から送信されることもしくは送信されたことを表示する部材である。表示部９４は例えば７セグメントのＬＥＤ表示板、液晶表示部、もしくは、ＬＥＤライトなどで構成される。
【００７７】
環境センサ９５は、環境情報を検知するセンサである。環境情報とは、照度、音量、振動、傾き、温度、湿度のいずれかを含む。例えば、環境情報が照度であれば、周囲の照明の照度や自然光の有無を感知する照度センサで構成される。
【００７８】
受注システム装置８３は、制御部１０１、第二の通信手段である無線受信部１０２、表示部１０３、通知部１０４および電源である小型のバッテリ１０５を備える。受注システムは、受注者が移動時に携行することができるサイズが好ましい。
なお、受注システム装置８３の各部材の構成は、第一の実施形態の受注システム装置３の各部材の構成と同様の構成であるため説明を省略する。
【００７９】
次に、第三の実施形態にかかる発注受注システム８１を用いた発注情報受信の方法について図３を用いて説明する。
【００８０】
発注システム装置８２は所定の位置に固定されており、受注システム装置８３は受注者が携行している。発注システム装置８２において、発注者がスイッチ９２を操作し、「入」状態へ切り替えた場合、制御部９１においてスイッチ９２の状態に対応した発注情報が作成される。例えばスイッチ９２が複数ある場合には、各スイッチ９２に対応した発注情報が作成される。発注システム装置８２の無線送信部９３からは所定時間ごとに発注情報を送信する。無線送信部９３が発注情報を送信したあと、表示部９４に発注情報を送信したことを表示する。表示部９４は、発注情報と対応する表示を行う。例えば、発注情報ごとにＬＥＤライトが割り当てられており、発注情報と対応するＬＥＤライトが発光することで発注者が発注情報の内容を確認することができる。
【００８１】
発注システム装置８２の無線送信部９３から所定時間ごとに送信する発注情報は、図３（Ａ）に示すように、受注者が電波送信圏外にいる場合には、受注システム装置８３の無線受信部１０２では受信できない。
図３（Ｂ）に示すように、受注者が電波送信圏内に入った場合には、受注システム装置８３の無線受信部１０２へ発注情報が受信される。発注情報が無線受信部１０２に受信されると、制御部１０１において、発注情報が処理される。発注情報に含まれる発注システム装置８２の端末情報が制御部１０１のメモリに記憶されている端末情報と一致した場合、受注システム装置８３の表示部１０３に発注情報と対応する表示がなされる。例えば、発注情報ごとにＬＥＤライトが割り当てられており、発注情報と対応するＬＥＤライトが発光することで受注者が発注情報の内容を知ることができる。
【００８２】
また、発注情報が無線受信部１０２に受信されると、受注システム装置８３の通知部１０４によって受信者に対して通知される。例えば、通知部１０４がバイブレータであった場合には、バイブレータが振動することで受注者が発注情報を受信したことを知ることができる。
【００８３】
また、発注システム装置８２は、発注情報の他に、環境センサ９５によって検知された環境情報を送信することができる。例えば、環境センサ９５が照度センサである場合には、照度が所定の値よりも低くなったときに、制御部９１が、環境情報を作成する。発注システム装置８２が屋内にある場合、屋内の電灯が消灯した場合には、環境情報が作成される。発注システム装置８２の無線送信部からは所定時間ごとに環境情報を送信する。
【００８４】
発注システム装置８２の無線送信部９３から所定時間ごとに送信する環境情報は、図３（Ａ）に示すように、受注者が電波送信圏外にいる場合には、受注システム装置８３の無線受信部１０２では受信できない。
図３（Ｂ）に示すように、受注者が電波送信圏内に入った場合には、受注システム装置８３の無線受信部１０２へ環境情報が受信される。環境情報が無線受信部１０２に受信されると、受注システム装置８３の表示部１０３に環境情報と対応する表示がなされる。例えば、環境情報ごとにＬＥＤライトが割り当てられており、環境情報と対応するＬＥＤライトが発光することで受注者が環境情報の内容を知ることができる。
【００８５】
また、発注システム装置８２は、受注システム装置８３が受信可能圏内に入ったか否かを判別可能に構成するとしてもよい。この場合、発注システム装置８２には、情報受信部９７が備えられ、受注システム装置８３には、情報送信部１０６が備えられる。情報受信部９７および情報送信部１０６は電波、光、または音波などの通信線を用いない通信媒体を利用して無線通信を行う。電波、光、または音波などの通信線を用いない通信媒体として、サブギガＨｚ帯の電波を用いることもできる。受注システム装置８３が受信可能圏内に入った場合には、情報送信部１０６から受信可能圏内に入ったことを伝える情報を送信する。発注システム装置８２は、前記情報を情報受信部９７において受信し、制御部９１において、受注システム装置８３が受信可能圏内に入ったことを検知する。そして、発注システム装置８２の制御部９１は、受注システム装置８３が受信可能圏内に入ったことを発注システム装置８２の表示部９４に表示する。
【００８６】
また、あらかじめ決められた所定時間を経過した後に発注情報を初期化する構成とすることもできる。この場合発注システム装置８２の制御部９１は、初期化用のタイマーを備え、発注情報が作成された時刻をゼロとして、所定時間を計測する。そして、所定時間が経過したときには発注情報を制御部９１のメモリから消去するものである。この場合、制御部９１は、発注システム装置８２の表示部９４において表示していた発注情報を表示しないように変更する。
【００８７】
また、受注システム装置８３に表示操作部１０７を設けることもできる。表示操作部１０６は、表示部１０３の表示を変更することができる。例えば、表示部１０３がＬＥＤライトである場合に、受注者が表示操作部１０７を操作することにより、ＬＥＤライトを消灯することができる。
【００８８】
以上のように、発注受注システム８１において、発注システム装置８２は、発注システム装置８２の環境情報を検知する環境センサ９５と、環境センサ９５で検知した環境情報を受注システム装置８３に送信する第三の通信手段である無線送信部９３と、を有し、受注システム装置８３は、発注システム装置８２の環境情報を受信する第四の通信手段である無線受信部１０２と、受信した環境情報を表示する第二の表示手段である表示部１０３を有するものである。
このように構成することにより、受注者が環境情報の内容を知ることができる。例えば、環境センサ９５が、照度センサであり、発注者が屋内に居た状態で電灯を消灯した場合、その情報を受注者が知ることで発注者が現在就寝していることを知ることができる。
【００８９】
また、環境センサ９５で検知する環境情報は、照度、音量、振動、傾き、温度、湿度のいずれかを含むものである。
このように構成することにより、受注者が種々の発注者側の環境情報の内容を知ることができる。
【００９０】
＜第四の実施形態＞
本発明の第四の実施形態にかかる発注受注システムについて図５を用いて説明する。
発注受注システム１２１は、受注者が対応可能な範囲内に移動したときに、発注者の発注内容を受注者に送信できるようにするためのシステムである。
【００９１】
発注受注システム１２１は、一または複数の発注内容を入力する機能と、発注内容を入力する手段の状態を区別する機能と、発注内容を入力する手段の状態を送信する機能と、を有する発注システム装置１２２と、発注システム装置１２２から送信された送信された情報を受信する機能と、情報を表示する機能と、を有する受注システム装置１２３と、を備える。
【００９２】
発注システム装置１２２は、発注者が一つ若しくは少ない数の行程を行うことで発注情報を送信するための装置である。本実施形態においては、一または複数の発注内容を入力する手段としてスイッチ１３２を用いて発注情報を送信する。なお、本実施形態においてはスイッチ１３２を使用しているがこれに限定されるものではなく、例えばＧＵＩを有する情報端末を用いて発注情報を送信する構成としてもよい。
【００９３】
発注システム装置１２２は、情報処理手段である制御部１３１、発注内容を入力する手段であるスイッチ１３２、第一の通信手段である無線送信部１３３、表示部１３４、音声入力部１３５、電源１３７および通信部１３８を備える。
【００９４】
音声入力部１３５は、発注情報に対応する音声データ情報もしくはその他の情報に対応する音声データ情報を入力する部材であり、例えばマイクで構成されている。
【００９５】
制御部１３１は、発注情報を処理する部材であり、例えば、マイコンや小型のパソコンで構成されている。制御部１３１は、入力側にスイッチ１３２および音声入力部１３５が接続されており、出力側に無線送信部１３３および表示部１３４が接続されている。また、制御部１３１は電源１３７と接続されており、電源１３７から供給される電力により作動する。電源１３７からの電力は制御部１３１を介して、スイッチ１３２、スイッチ１３２の状態を送信する第一の通信手段である無線送信部１３３、および表示部１３４、音声入力部１３５、通信部１３８へと供給される。また、制御部１３１は、音声入力部１３５からの音声データ情報を発注情報に変換する。例えば、制御部１３１はメモリを備え、メモリに音声データ情報と発注情報とを照合するためのテーブルを備えており、テーブルを用いて音声入力部１３５からの音声データ情報を発注情報に変換する。
【００９６】
また、発注システム装置１２２は通信部１３８をさらに備えている。通信部１３８は、外部のデータベース１３９と通信するための手段であり、より複雑なテーブルを備えた外部のデータベース１３９と接続することにより、音声データ情報を複雑な発注情報もしくはその他の情報に変換することも可能となる。
【００９７】
スイッチ１３２は、少なくとも「入」状態と「切」状態との間で状態を切替可能に構成されており、押し込む、回動する、触れるなどの物理的な動作によって状態を切換可能に構成されている。スイッチ１３２が「切」状態から「入」状態へ切り替えられると、制御部１３１にスイッチ１３２の状態を通知する情報が送信される。スイッチ１３２は、一個以上設けられており、スイッチ１３２ごとに、対応する発注情報が割り当てられる。
【００９８】
無線送信部１３３は、無線でスイッチ１３２の状態を送信する部材であり、スイッチ１３２が「切」状態から「入」状態になったときに発注情報を送信する。無線送信部１３３は、発注情報を電波、光、または音波などの通信線を用いない通信媒体を利用して送信する。電波、光、または音波などの通信線を用いない通信媒体として、サブギガＨｚ帯の電波を用いることもできる。無線送信部１３３は、発注情報を所定時間ごとに送信する。発注情報には、発注システム装置１２２の端末情報および発注する商品情報、が少なくとも含まれる。また、無線送信部１３３から、発注情報以外に、発注者の状態または発注者から受注者への連絡事項などで構成される通知情報を送信することもできる。通知情報は、発注情報と同様に一または複数のスイッチ１３２の状態と対応して割り当てられる。
【００９９】
表示部１３４は、発注情報が無線送信部１３３から送信されることもしくは送信されたことを表示する部材である。表示部１３４は、例えば７セグメントのＬＥＤ表示板、液晶表示部、もしくは、ＬＥＤライトなどで構成される。
【０１００】
受注システム装置１２３は、制御部１４１、第二の通信手段である無線受信部１４２、表示部１４３、通知部１４４および電源である小型のバッテリ１４５を備える。受注システムは、受注者が移動時に携行することができるサイズが好ましい。
なお、受注システム装置１２３の各部材の構成は、第一の実施形態の受注システム装置３の各部材の構成と同様の構成であるため説明を省略する。
【０１０１】
次に、第四の実施形態にかかる発注受注システム１２１を用いた発注情報受信の方法について図３を用いて説明する。
【０１０２】
発注システム装置１２２は所定の位置に固定されており、受注システム装置１２３は受注者が携行している。発注システム装置１２２において、発注者がスイッチ１３２を操作し、「入」状態へ切り替えた場合、制御部１３１においてスイッチ１３２の状態に対応した発注情報が作成される。例えばスイッチ１３２が複数ある場合には、各スイッチ１３２に対応した発注情報が作成される。発注システム装置１２２の無線送信部１３３からは所定時間ごとに発注情報を送信する。無線送信部１３３が発注情報を送信したあと、表示部１３４に発注情報を送信したことを表示する。表示部１３４は、発注情報と対応する表示を行う。例えば、発注情報ごとにＬＥＤライトが割り当てられており、発注情報と対応するＬＥＤライトが発光することで発注者が発注情報の内容を確認することができる。
【０１０３】
また、発注者が音声入力部１３５に向かって音声を入力した場合であっても、制御部１３１において発注情報が作成される。音声データ情報は制御部１３１においてテーブルと照合されて対応する発注情報が作成される。発注システム装置１２２の無線送信部１３３からは所定時間ごとに発注情報を送信する。
【０１０４】
発注システム装置１２２の無線送信部１３３から所定時間ごとに送信する発注情報は、図３（Ａ）に示すように、受注者が電波送信圏外にいる場合には、受注システム装置１２３の無線受信部１０２では受信できない。
図３（Ｂ）に示すように、受注者が電波送信圏内に入った場合には、受注システム装置１２３の無線受信部１４２へ発注情報が受信される。発注情報が無線受信部１４２に受信されると、制御部１４１において、発注情報が処理される。発注情報に含まれる発注システム装置１２２の端末情報が制御部１４１のメモリに記憶されている端末情報と一致した場合、受注システム装置１２３の表示部１４３に発注情報と対応する表示がなされる。例えば、発注情報ごとにＬＥＤライトが割り当てられており、発注情報と対応するＬＥＤライトが発光することで受注者が発注情報の内容を知ることができる。
【０１０５】
また、発注情報が無線受信部１４２に受信されると、受注システム装置１２３の通知部１４４によって受信者に対して通知される。例えば、通知部１４４がバイブレータであった場合には、バイブレータが振動することで受注者が発注情報を受信したことを知ることができる。
【０１０６】
また、発注システム装置１２２は、発注情報の他に、マイクによって入力された音声データ情報に対応する発注情報以外の情報を送信することもできる。例えば、マイクによって入力された音声データ情報は、制御部１３１において処理される。音声データ情報の処理には、通信部１３８を介して外部のデータベース１３９に保存されたテーブルを用いることができる。制御部１３１は、音声データ情報と、外部のデータベース１３９に保存されたテーブルとを照合して高度な情報（文字情報等）を作成する。発注システム装置１２２の無線送信部１３３からは所定時間ごとに高度な情報を送信する。
【０１０７】
発注システム装置１２２の無線送信部１３３から所定時間ごとに送信する高度な情報は、図３（Ａ）に示すように、受注者が電波送信圏外にいる場合には、受注システム装置１２３の無線受信部１４２では受信できない。
図３（Ｂ）に示すように、受注者が電波送信圏内に入った場合には、受注システム装置１２３の無線受信部１４２へ高度な情報が受信される。高度な情報が無線受信部１４２に受信されると、受注システム装置１２３の表示部１４３に高度な情報と対応する表示がなされる。例えば、表示部１４３に液晶画面を備えて、文字情報を前記液晶画面に表示することにより、受注者が高度な情報の内容を知ることができる。
【０１０８】
また、発注システム装置１２２は、受注システム装置１２３が受信可能圏内に入ったか否かを判別可能に構成するとしてもよい。この場合、発注システム装置１２２には、情報受信部１４０が備えられ、受注システム装置１２３には、情報送信部１４６が備えられる。情報受信部１４０および情報送信部１４６は電波、光、または音波などの通信線を用いない通信媒体を利用して無線通信を行う。電波、光、または音波などの通信線を用いない通信媒体として、サブギガＨｚ帯の電波を用いることもできる。受注システム装置１２３が受信可能圏内に入った場合には、情報送信部１４６から受信可能圏内に入ったことを伝える情報を送信する。発注システム装置１２２は、前記情報を情報受信部１４０において受信し、制御部１３１において、受注システム装置１２３が受信可能圏内に入ったことを検知する。そして、発注システム装置１２２の制御部１３１は、受注システム装置１２３が受信可能圏内に入ったことを発注システム装置１２２の表示部１３４に表示する。
【０１０９】
また、あらかじめ決められた所定時間を経過した後に発注情報を初期化する構成とすることもできる。この場合発注システム装置１２２の制御部１３１は、初期化用のタイマーを備え、発注情報が作成された時刻をゼロとして、所定時間を計測する。そして、所定時間が経過したときには発注情報を制御部１３１のメモリから消去するものである。この場合、制御部１３１は、発注システム装置１２２の表示部１３４において表示していた発注情報を表示しないように変更する。
【０１１０】
また、受注システム装置１２３に表示操作部１４７を設けることもできる。表示操作部１４７は、表示部１４３の表示を変更することができる。例えば、表示部１４３がＬＥＤライトである場合に、受注者が表示操作部１４７を操作することにより、ＬＥＤライトを消灯することができる。
【０１１１】
以上のように、発注受注システム１２１において、スイッチ１３２の状態を音声認識によって変更可能に構成したものである。
このように構成することにより、発注者が発注システム装置１２２から離れていた場合であっても発注システム装置１２２を操作することができる。
【０１１２】
なお、実施形態においては、スイッチが「切」状態から「入」状態になったときに発注情報を送信する構成についてのみ記載しているが、これに限定するものではなく、例えばスイッチが「入」状態から「切」状態になったときに発注情報を消去する（空の情報を上書きする）発注キャンセル情報を送信する構成をさらに備えてもよい。
また、発注キャンセル情報について、スイッチが「入」状態から「切」状態になったときだけでなく、消去用スイッチが「切」状態から「入」状態になったときに送信する構成としてもよい。
【０１１３】
また、第一の通信手段および第三の通信手段を一つの無線送信部で構成したがこれに限定するものではなく、複数の無線送信部を備える構成としてもよい。
【０１１４】
また、発注システム装置と、受注システム装置との発注情報の送受信に用いられる電波、光、または音波などの通信線を用いない通信媒体は、例えば、３ＧＨｚから３０ＧＨｚの周波数の電波であってもよく、前記電波を利用し、中継局を介してインターネットによって発注情報の送受信を行う構成とすることも可能である。
【０１１５】
上述の実施形態は、代表的な形態を示したに過ぎず、一実施形態の骨子を逸脱しない範囲で変形して実施することができる。さらに種々の形態で実施し得ることは勿論のことであり、本発明の範囲は、特許請求の範囲の記載によって示され、さらに特許請求の範囲に記載の均等の意味、および範囲内の全ての変更を含む。
【符号の説明】
【０１１６】
１    発注受注システム
２    発注システム装置
３    受注システム装置
１１  制御部（情報処理手段）
１２  スイッチ（発注情報を入力する手段）
１３  無線送信部（第一の通信手段）
１４  表示部
１５  電源
２１  制御部
２２  無線受信部（第二の通信手段）
２３  表示部
２４  通知部
２５  バッテリ
２７  表示操作部
９５  環境センサ
１３５  音声入力部
【図１】
2019160181.tif 000003
【図２】
2019160181.tif 000004
【図３】
2019160181.tif 000005
【図４】
2019160181.tif 000006
【図５】
2019160181.tif 000007